(57)【要約】      （修正有）【課題】人手を介さずに商品の購入時刻や購入数量等の購買行動に係る情報を自動的に常時記録するための玩具自動販売機用利用状況検出ユニットを提供する。【解決手段】商品の通過を検出するセンサーとセンサーが検出した情報をパソコン６に通知するための通信部で構成され、当該センサーを商品払い出し通路部に取り付ける事で、商品の通過が検出される都度、通信部を経由して常時パソコン６に通知する。センサーは、商品払い出し通路部のセンサーによる検出結果をキーボード入力値として常時パソコン６に通知する。センサーは、商品との直接的もしくは間接的な接触によりＯＮとなるモーメンタリ動作型スイッチを商品払い出し通路部に取り付ける事で、商品の通過を検出する。  【選択図】図１
0003197192.tif 000002
【実用新案登録請求の範囲】
【請求項１】
店舗等において、複数台構成で設置されている玩具自動販売機の各商品払い出し通路にセンサーを取り付け、利用者が商品購買行動を行った際に、商品がどの払い出し通路を通過したかをセンサーを経由してパソコン等に通知する事で、商品購買行動を常時記録する事が可能となる機能を特徴とする玩具自動販売機用利用状況検出ユニット。
【請求項２】
前記センサーは、通常複数台構成で設置される玩具自動販売機の各筐体に対し、予め任意の英字もしくは数字を定め、商品払い出し通路に取り付けたセンサーにより通過が検出された場合、予め定めた任意の英字もしくは数字を文字データとして、パソコン等に通知する事で、どの払い出し通路に商品が通過したのかを日時と共に購買情報として常時記録する事が可能となる機能を特徴とする請求項１の玩具自動販売機用利用状況検出ユニット。
【請求項３】
前記センサーは、商品払い出し通路を通過する商品の加重により直接もしくは間接的に押し下げられる事でＯＮとなるモーメンタリ動作型スイッチを取り付ける事で、どの払い出し通路に商品が通過したのかを日時と共に購買情報として常時記録する事が可能となる機能を特徴とする請求項１の玩具自動販売機用利用状況検出ユニット。
【考案の詳細な説明】
【技術分野】
【０００１】  本考案は、複数台構成で設置されている玩具自動販売機における商品購買行動をセンサーで検出する事で、人手を介さずに商品の購入時刻や購入数量等の購買行動に係る情報を自動的に常時記録する手段に関するものである。
【背景技術】
【０００２】  従来の玩具自動販売機においては、マーケティング活動等において必要となる商品の購入時刻や購入数量等の購買行動に係る情報を得る機能を有していないため、購買行動を元にした商品販売促進計画を立てる事が出来ない。また、店舗等において複数台構成で設置される事が多い玩具自動販売機の筐体内の商品の数は定期的に人的作業によりカウントする事で販売管理を行っている。【０００３】  店舗等の対人販売における販売管理はＰＯＳシステムが広く導入され、この手法を玩具自動販売機に適用し、商品個体を識別するためのＩＣタグ等の識別マーカーの取り付けやバーコードを印字したラベルの貼り付けによって、商品販売時点における商品個体を識別するための手法を取り入れた商品管理方法も提案されている。下記特許文献１。
【先行技術文献】
【特許文献】
【０００４】
【特許文献１】実用新案登録第３１７２４７２号
【考案の概要】
【考案が解決しようとする課題】
【０００５】  しかしながら上記従来技術において、商品個体を識別するためのＩＣタグ等の識別マーカーの取り付けやバーコードを印字したラベルの貼り付けと言った仕組みのためには多大な物品費、人件費を必要とし、相当な時間も掛かる事から、対人販売におけるＰＯＳシステム等の商品管理手法を玩具自動販売機にそのまま適用しようとする事には無理が生じ、実際的ではない。
更に、玩具自動販売機においては一つの筐体内で同一商品もしくは同種商品をそれぞれ予め決まった数量で販売されており、個々の商品にＩＣタグ等の識別マーカーを取り付けて個別に識別する必要性は低い。【０００６】  そのため実際には、店舗等で複数台構成で設置されている玩具自動販売機における商品管理は全て人的作業により行われており、商品管理を毎日行う場合は、多大な人件費が掛かってしまい、逆に、商品管理を一週間間隔等の一定期間毎に行う場合は、期間途中に商品が売り切れてしまう事で販売機会を喪失し、期待した売上が実現出来ない等の損失が大きかった。【０００７】  本考案は、上記欠点を解決するためになされたものであって、その目的は、玩具自動販売機における商品購買行動をセンサーで検出する事で、人手を介さずに商品の購入時刻や購入数量等の購買行動に係る情報を自動的に常時記録するための玩具自動販売機用利用状況検出ユニットを提供する事にある。
【課題を解決するための手段】
【０００８】  本考案は上記の課題を解決するために、複数台構成で設置されている玩具自動販売機の各商品払い出し通路部に取り付けるセンサーとセンサーの状態をパソコン等に通知するためのキーボードインタフェイスユニットで構成され、各筐体における利用者の商品購買行動をセンサーで検出し、キーボードインタフェイスユニットを通してパソコン等に通知する手段を提供する事を要旨とする。これにより、人手を介さずに、商品の購入時刻や購入数量等の購買行動に係る情報を自動的に常時記録する事が可能となり、商品在庫管理に限らず、商品販売促進計画等に幅広く役立てる事が出来る。【０００９】  請求項２記載の方法は、各筐体に対し、予め任意の英字もしくは数字を設定し、商品払い出し通路に取り付けたセンサーにより通過が検出された場合、予め設定した任意の英字もしくは数字がキーボードインタフェイスユニットを通し、文字データとしてパソコン等に通知する。【００１０】  請求項３記載の方法は、玩具自動販売機の商品払い出し通路に、商品払い出し通路を通過する商品の加重により直接もしくは間接的に押し下げられる事でＯＮとなるモーメンタリ動作型スイッチを取り付ける事で商品購買行動を検出する。
【考案の効果】
【００１１】  以上、本考案により、複数台構成で設置されている玩具自動販売機において、人手を介さずに商品の購入時刻や購入数量等の購買行動に係る情報を自動的に常時記録する事が可能となり、商品在庫管理に限らず、商品販売促進計画等に幅広く役立てる事が出来る。
【図面の簡単な説明】
【００１２】
【図１】本考案の一実施の形態に係る全体構成を示す概略構成図。
【図２】前記形態において、商品払い出し通路のセンサー設置概略図。
【考案を実施するための形態】
【００１３】  以下、本考案の実施の形態を図面に基づいて説明する。図１は、一実施の形態に係る玩具自動販売機利用状況検出ユニットの概略構成図である。図１に置いて、符号１は玩具自動販売機を示す。玩具自動販売機は上下２つの筐体が結合された一体構造となっている場合が多く、通常は複数台構成で設置されている。本実施の形態においては、３台構成の６筐体を有しているケースとしているが筐体数に特に制限は無い。利用者が商品を購入する際、料金を投入後、符号３の商品購入ハンドルを回す事で、符号２の商品格納庫にある商品が符号４の商品取り出し口に排出される。符号２の商品格納庫から符号４の商品取り出し口の間に図２の商品払い出し通路があり、ここに取り付けられているセンサーによって、商品購買動作を検出する。本実施の形態においては６筐体構成となっているが、それぞれの筐体の商品払い出し通路に設置したセンサーは配線により符号５の玩具自動販売機利用状況検出ユニット内のキーボードインタフェイスユニットに接続され、配線接続の組み合わせによって任意の文字列が符号６のパソコンにキーボード入力値として通知される。この通知を契機に商品の購入時刻や購入数量等の購買行動に係る情報をデータとして記録する事が可能となる。
【００１４】  商品払い出し通路を通る商品の検出方法として、図２の商品払い出し通路を通過する商品の加重により直接もしくは間接的に押し下げられる事でＯＮとなるモーメンタリ動作型スイッチを取り付ける事で検出する。この際、通常のスイッチは接触面が小さく検出されない恐れがある為、スイッチ部分に通路幅及び通路形状に即したプレートを取り付ける事で、商品の通過を妨げる事なく、確実なスイッチ動作を行う構成となっている。
【産業上の利用可能性】
【００１５】  本考案による玩具自動販売機利用状況検出ユニットは、人手を介さずに商品の購入時刻や購入数量等の購買行動に係る情報を自動的に常時記録する事が可能となり、商品在庫管理に限らず、商品販売促進計画等に幅広く役立てる事が出来る。また、販売情報が得られるようになる事で、玩具だけでは無く様々な商材を玩具自動販売機を活用して販売する事が可能となる。
【符号の説明】
【００１６】１    玩具自動販売機（６筐体構成の例）
２    商品格納庫
３    商品購入ハンドル
４    商品取り出し口
５    玩具自動販売機利用状況検出ユニット
６    パソコン
７    商品
８    センサースイッチ用プレート
９    センサースイッチ
１０  商品払い出し通路
【図１】
0003197192.tif 000003
【図２】
0003197192.tif 000004
【手続補正書】
【提出日】平成26年11月21日(2014.11.21)
【手続補正１】
【補正対象書類名】実用新案登録請求の範囲
【補正対象項目名】請求項１
【補正方法】変更
【補正の内容】
【請求項１】
複数台構成の玩具自動販売機において、各商品払い出し通路にセンサーを取り付ける事で、商品がどの筐体の払い出し通路を通過したかをセンサーを経由して常時パソコンに通知する事を特徴とする玩具自動販売機用利用状況検出ユニット。
【手続補正２】
【補正対象書類名】実用新案登録請求の範囲
【補正対象項目名】請求項２
【補正方法】変更
【補正の内容】
【請求項２】
前記センサーは、商品払い出し通路のセンサーによる検出結果をキーボード入力値として常時パソコンに通知する事を特徴とする請求項１の玩具自動販売機用利用状況検出ユニット。
【手続補正３】
【補正対象書類名】実用新案登録請求の範囲
【補正対象項目名】請求項３
【補正方法】変更
【補正の内容】
【請求項３】
前記センサーは、商品との直接的もしくは間接的な接触によりＯＮとなるモーメンタリ動作型スイッチを商品払い出し通路に取り付ける事で、商品の通過を検出する事を特徴とする請求項１の玩具自動販売機用利用状況検出ユニット。
【手続補正書】
【提出日】平成27年2月10日(2015.2.10)
【手続補正１】
【補正対象書類名】実用新案登録請求の範囲
【補正対象項目名】請求項１
【補正方法】変更
【補正の内容】
【請求項１】
商品の通過を検出するセンサーとセンサーが検出した情報をパソコンに通知するための通信部で構成され、当該センサーを商品払い出し通路部に取り付ける事で、商品の通過が検出される都度、通信部を経由して常時パソコンに通知する事を特徴とする玩具自動販売機用利用状況検出ユニット。
【手続補正２】
【補正対象書類名】実用新案登録請求の範囲
【補正対象項目名】請求項２
【補正方法】変更
【補正の内容】
【請求項２】
前記センサーは、商品払い出し通路部のセンサーによる検出結果をキーボード入力値として常時パソコンに通知する事を特徴とする請求項１の玩具自動販売機用利用状況検出ユニット。
【手続補正３】
【補正対象書類名】実用新案登録請求の範囲
【補正対象項目名】請求項３
【補正方法】変更
【補正の内容】
【請求項３】
前記センサーは、商品との直接的もしくは間接的な接触によりＯＮとなるモーメンタリ動作型スイッチを商品払い出し通路部に取り付ける事で、商品の通過を検出する事を特徴とする請求項１の玩具自動販売機用利用状況検出ユニット。